(57)【要約】【課題】ひとつの付箋束から１枚の付箋を取り出す際に、必要な部分（付箋取出具）のみを取り扱うことができ、至便な付箋収納構造体を提供する。特に、多数の付箋束を収納した付箋収納構造体の場合も、必要な部分のみ（１個の付箋取出具）を分離することにより、容易に使用することができる付箋収納構造体を提供する。【解決手段】開口部１から付箋２を１枚ずつ取出し可能に付箋束３を収納した複数個の付箋取出具４を、ミシン目５にて折曲分離自在に連結して、１枚のシート片形状に構成する。しかも、各付箋取出具４は裏面側に貼着シート片を有する。【選択図】図１
0003180664.tif 000002
【実用新案登録請求の範囲】
【請求項１】
開口部（１）から付箋（２）を１枚ずつ取出し可能に付箋束（３）を収納した複数個の付箋取出具（４）を、ミシン目（５）にて折曲分離自在に連結して、１枚のシート片形状に構成し、しかも、上記各付箋取出具（４）は裏面（６）側に貼着シート片（７）を有することを特徴とする付箋収納構造体。
【請求項２】
上記付箋取出具（４）は、上記ミシン目（５）にて折曲分離される台紙片（11）と、上記付箋束（３）を被覆して上記台紙片（11）に接着される上記開口部（１）を有するプラスチック製カバー（12）とを、備えている請求項１記載の付箋収納構造体。
【考案の詳細な説明】
【技術分野】
【０００１】
本考案は、付箋収納構造体に関する。
【背景技術】
【０００２】
従来、開口部から付箋を１枚ずつ取り出し可能に付箋束を収納した付箋収納構造体が公知である（例えば、特許文献１参照）。
【０００３】
しかし、ひとつの付箋収納構造体が複数の付箋束を有しており、付箋収納構造体全体として分離不可だったので（一体として取扱う必要があるので）、ひとつの付箋束から１枚の付箋を取り出す際にも付箋収納構造体全体を手で持つ必要があり、不便だという欠点があった。特に、多数の付箋束を収納した付箋収納構造体の場合に、不便なものとなっていた。また、付箋収納構造体が独立しており、他部材と一体状になっていないので、作業中に本の陰などに隠れて、使用したい時に、探さなければならないことがあり、さらに、両手で使用しなければならず、厚い本を開いた状態を保持しつつ使用するのが不便だという欠点があった。
【先行技術文献】
【特許文献】
【０００４】
【特許文献１】実用新案登録第３０２３５４６号公報
【考案の概要】
【考案が解決しようとする課題】
【０００５】
解決しようとする課題は、ひとつの付箋束から１枚の付箋を取り出す際に、必要な部分のみを独立して取り扱うことができず、不便な点である。特に、多数の付箋束を収納した付箋収納構造体の場合に、不便な点である。また、作業中に本の陰などに隠れて、使用したい時に、探さなければならないことがあり、さらに、両手で使用しなければならず（例えば左手で付箋束を持ちつつ右手で１枚の付箋を分離する必要があり）、厚い本を開いた状態を保持しつつ使用するのが不便だという点である。
【課題を解決するための手段】
【０００６】
そこで、本考案に係る付箋収納構造体は、開口部から付箋を１枚ずつ取出し可能に付箋束を収納した複数個の付箋取出具を、ミシン目にて折曲分離自在に連結して、１枚のシート片形状に構成し、しかも、各付箋取出具は裏面側に貼着シート片を有するものである。
また、付箋取出具は、ミシン目にて折曲分離される台紙片と、付箋束を被覆して台紙片に接着される開口部を有するプラスチック製カバーとを、備えているものである。
【考案の効果】
【０００７】
本考案の付箋収納構造体によれば、ひとつの付箋束から１枚の付箋を取り出す際に、必要な部分（付箋取出具）のみを独立して取り扱うことができ、至便である。特に、多数の付箋束を収納した付箋収納構造体の場合も、必要な部分のみ（１個の付箋取出具）を分離することにより、容易に使用することができる。また、各付箋取出具をパソコンやノート、机等の他部材の所望の場所に貼着しておくことができ、使用したい時に探す必要がなく、さらに、片手で使用することができ、厚い本を開いた状態を保持しつつ使用するのも容易である。また、付箋束３ごとに色を異ならせた場合、色ごとに付箋取出具４を所望の場所に設置することができる。また、容易に製造することができる。
【図面の簡単な説明】
【０００８】
【図１】本考案の実施の一形態を示す正面図である。
【図２】背面図である。
【図３】図１のＡ−Ａ断面側面図である。
【図４】１個の付箋取出具を示す説明図である。
【図５】図４のＢ−Ｂ断面底面図である。
【図６】使用状態を示す説明図である。
【考案を実施するための形態】
【０００９】
図１〜図３は、本考案の実施の一形態を示す。この付箋収納構造体は、開口部１から付箋２を１枚ずつ取出し可能に付箋束３を収納した複数個（図例では４個）の付箋取出具４を、ミシン目５にて折曲分離自在に連結して、１枚のシート片形状に構成される。各付箋取出具４は裏面６側に貼着シート片７を有する。貼着シート片７は、貼着片本体８と、貼着片本体８の裏面９に積層された剥離紙10とから成る。貼着片本体８は、粘着シート片又は両面テープ等から成る。
【００１０】
付箋取出具４は、ミシン目５にて折曲分離される台紙片11と、付箋束３を被覆して台紙片11に接着される開口部１を有するプラスチック製カバー12とを、備えている。カバー12は、収納されている付箋束３が外部から見えるように（特に、色が分かるように）、透明又は半透明であることが好ましい。Ｘは開口部１から突出状の付箋２を、使用前にカバー12に貼着しておくテープを示す。
【００１１】
次に、上述の付箋収納構造体の使用方法の一例について説明する。まず、ミシン目５を折曲分離して（切り離して）、テープＸを剥離し、図４・図５に示すように、１個の付箋取出具４とする。その後、剥離紙10を剥離して、貼着片本体８にて、図６に示すようにパソコン等の他部材Ｔに貼着一体化する。
【００１２】
なお、本考案は、設計変更可能であって、例えば、２個、３個、５個、６個等の付箋取出具４を、連結したものとするも良い。また、上述の実施の形態では、付箋取出具４を直列的に連結したものを図示したが、付箋取出具４を並列的に連結するも良い。例えば、６個の付箋取出具４を横２列、縦３列に配設して連結した構成とするも良い。
【００１３】
以上のように、本考案は、開口部１から付箋２を１枚ずつ取出し可能に付箋束３を収納した複数個の付箋取出具４を、ミシン目５にて折曲分離自在に連結して、１枚のシート片形状に構成し、しかも、各付箋取出具４は裏面６側に貼着シート片７を有するので、ひとつの付箋束３から１枚の付箋２を取り出す際に、必要な部分（１個の付箋取出具４）のみを独立して取り扱うことができ、至便である。特に、多数の付箋束３を収納した付箋収納構造体の場合も、必要な部分（１個の付箋取出具４）のみを分離することにより、容易に使用することができる。また、各付箋取出具４をパソコンやノート、机等の他部材Ｔの所望の場所に貼着しておくことができ、使用したい時に探す必要がなく、さらに、片手で使用することができ、厚い本を開いた状態を保持しつつ使用するのも容易である。また、付箋束３ごとに色を異ならせた場合、色ごとに付箋取出具４を所望の場所に設置することができる。
【００１４】
また、付箋取出具４は、ミシン目５にて折曲分離される台紙片11と、付箋束３を被覆して台紙片11に接着される開口部１を有するプラスチック製カバー12とを、備えているので、容易に製造することができる。
【符号の説明】
【００１５】
１  開口部
２  付箋
３  付箋束
４  付箋取出具
５  ミシン目
６  裏面
７  貼着シート片
11  台紙片
12  （プラスチック製）カバー
【図１】
0003180664.tif 000003
【図２】
0003180664.tif 000004
【図３】
0003180664.tif 000005
【図４】
0003180664.tif 000006
【図５】
0003180664.tif 000007
【図６】
0003180664.tif 000008